(57)【要約】  良好な装着感を有するイヤホンを提供すること、音漏れを抑止すること、スピーカ本体部と音響管との相対角度が角度変化した場合でも良好な音響特性を有すること、比較的簡単な構造のイヤホンを提供すること。  イヤホン１は、スピーカ本体部３を内蔵するとともに、当該スピーカ本体部３からの音波を放射する開口部２１が形成されたスピーカ筐体部２と、筒形状の音響管４と、音響管４およびスピーカ筐体部２の一部又は全部を取り囲む弾性体の耳介挿入体６を有し、耳介挿入体６は、音響管４との連結部６１付近で屈曲変形可能に形成されている。
2010005039.tif 000002
【特許請求の範囲】
【請求項１】
スピーカ本体部を内蔵するとともに、当該スピーカ本体部からの音波を放射する開口部が形成されたスピーカ筐体部と、
筒形状の音響管と、
前記音響管および前記スピーカ筐体部の一部又は全部を取り囲む弾性体の耳介挿入体を有し、
前記耳介挿入体は、前記音響管との連結部付近で屈曲変形可能に形成されていることを特徴とするイヤホン。
【請求項２】
前記音響管と前記耳介挿入体は互いに分離可能な部材として形成されており、
前記耳介挿入体は、前記音響管と連結する連結部と、前記スピーカ筐体部を収容する収容部とを備え、
前記連結部が、第１の弾性部で形成されると共に、
前記耳介挿入体のうち、前記連結部を境界として、前記スピーカ筐体部側であると共に、前記連結部の近傍における当該耳介挿入体の一部が、前記第１の弾性部よりも剛性が小さい第２の弾性部で形成されていることを特徴とする請求項１に記載されるイヤホン。
【請求項３】
前記音響管は、前記第１の弾性部及び前記第２の弾性部に対して剛性を備えることを特徴とする請求項２に記載のイヤホン。
【請求項４】
前記耳介挿入体には、前記連結部と前記収容部との間に設けられ、前記音響管及び前記スピーカ筐体部の開口部と連通する導音孔部と、
当該導音孔部の周囲を取り囲む平面形状を備える耳介接触部とが形成されることを特徴とする請求項３に記載のイヤホン。
【請求項５】
前記導音孔部は、前記音響管の中心軸に沿う方向に形成されると共に、前記スピーカ本体部の中心軸から反れる方向に沿って形成され、
前記耳介接触部は、前記音響管の中心軸から反れる方向に延びていることを特徴とする請求項４に記載のイヤホン。
【請求項６】
前記耳介接触部は前記音響管の中心軸から反れる方向であると共に、前記スピーカ筐体部側に傾いた方向に向かって突出する突出部を備えることを特徴とする請求項５に記載のイヤホン。
【請求項７】
前記耳介挿入体の収容部には、前記スピーカ筐体部の外周側面に形成された被係合部と係合する係合部が形成されていることを特徴とする請求項６に記載のイヤホン。
【請求項８】
前記収容部の係合部は、内側に突出した形状を備え、
前記スピーカ筐体部の被係合部は段部として形成されており、
前記収容部の係合部と前記スピーカ筐体部の被係合部とが嵌合していることを特徴とする請求項７に記載のイヤホン。
【請求項９】
前記スピーカ筐体部の被係合部には、コード保持部が設けられており、
前記収容部の係合部に切欠部が形成されて、前記切欠部の内側に前記コード保持部の一端が配置されていることを特徴とする請求項８に記載のイヤホン。
【請求項１０】
前記収容部の係合部は、前記第２の弾性部に対して剛性が大きい第３の弾性部で形成されていることを特徴とする請求項９に記載のイヤホン。
【請求項１１】
前記筒形状の音響管は剛性を備え、
前記音響管の音響放射側の端部に取り付けられる耳栓を備え、
前記耳栓及び前記音響管は、互いに分離可能な部材として形成されており、
前記音響管の音響放射側とは逆側における端部と前記耳介挿入体の連結部とが嵌合して連結することを特徴とする請求項１０に記載のイヤホン。
【請求項１２】
前記耳介挿入体の連結部は、内側側面に環状の凹部が形成されており、
前記音響管の音響放射側とは逆側の端部が前記凹部に挿入されていることを特徴とする請求項１１に記載のイヤホン。
【請求項１３】
前記音響管は、当該音響管の両端部が外部に向かって突出することで、凹状の断面形状を備え、
前記耳栓の前記音響管と当接する端部が、前記音響管の両端部の間に挿入されていることを特徴とする請求項１２に記載のイヤホン。
【請求項１４】
前記スピーカ筐体部には、前記スピーカ筐体部と前記スピーカ本体部との間に形成される空間と外部とを連通させる貫通孔が形成されており、
前記貫通孔は、前記スピーカ筐体部の中心位置に対して、前記開口部が形成される側とは反対側に形成されることを特徴とする請求項１３に記載のイヤホン。
【請求項１５】
前記音響管の音響放射側の端部には、フィルタが設けられていることを特徴とする請求項１４に記載のイヤホン。
【請求項１６】
前記音響管の音響放射側の端部に取り付けられる耳栓を備え、
前記スピーカ筐体部は、外耳道の外側であって耳甲介側に配置されており、
前記音響管の一部が前記スピーカ筐体部に対し屈曲変形して、前記耳栓が外耳道に挿入され、
前記耳介接触部の一部は耳甲介に当接すると共に、前記収容部の一部が耳珠に当接することで、前記外耳道は外部に対して密閉されることを特徴とする請求項１５に記載のイヤホン。
【請求項１７】
前記スピーカ筐体部は、その底面部が前記スピーカ本体部の中心軸に対して前記音響管側に向くように傾斜して形成されていることを特徴とする請求項１６に記載されるイヤホン。
【請求項１８】
前記スピーカ筐体部は、その底面部が前記耳介接触部に対し略平行となるように形成されていることを特徴とする請求項１７に記載されるイヤホン。
【請求項１９】
請求項１に記載されるイヤホンを備えることを特徴とする電子機器。
【発明の詳細な説明】
【技術分野】
【０００１】
本発明は、イヤホンに関する。
【背景技術】
【０００２】
ユーザの耳介や外耳道に装着されるイヤホンが知られている（例えば、特許文献１参照）。
また、ドライブユニットを有するハウジングと、そのハウジングの前面に突出した状態で取り付けられた音響管とを備え、音響管がハウジングの中心位置より外側に配置され、その音響管の先端部分がハウジングの中心位置から離れる方向に向けられているイヤホンが知られている。このイヤホンの音響管がユーザの耳に装着される。【０００３】
【特許文献１】実開平０１−１３７６９１号公報
【発明の開示】
【発明が解決しようとする課題】
【０００４】
ところで、耳介や外耳道の形状はユーザそれぞれで異なる。上記イヤホンは、ハウジングと音響管とが規定角度となるように位置関係が固定されているので、イヤホンが外耳道に装着された場合、ユーザによっては耳が圧迫される、不快な感じを受ける、などの不具合が生じる虞がある。
また、上記イヤホンでは、耳と密着していない部分や密着度が低い部分などから、音漏れが生じる虞がある。【０００５】
例えば、イヤホン本体部と音響管とが結合される結合部として、略球状の関節を設け、イヤホン本体部に対する音響管の角度を変えられるようにイヤホンを構成した場合、その角度を比較的大きく設定すると、音響特性が低下する虞がある。また、上記イヤホンは、略球状の結合部を作製する工程を要する。【０００６】
本発明は、このような問題に対処することを課題の一例とするものである。すなわち、良好な装着感を有するイヤホンを提供すること、音漏れを抑止すること、スピーカ本体部と音響管との相対角度が角度変化した場合でも良好な音響特性を有すること、比較的簡単な構造のイヤホンを提供すること、などが本発明の目的である。
【課題を解決するための手段】
【０００７】
このような目的を達成するために、本発明は、以下の独立請求項に係る構成を少なくとも具備するものである。【０００８】
本発明に係るイヤホンは、スピーカ本体部を内蔵するとともに、当該スピーカ本体部からの音波を放射する開口部が形成されたスピーカ筐体部と、筒形状の音響管と、前記音響管および前記スピーカ筐体部の一部又は全部を取り囲む弾性体の耳介挿入体を有し、前記耳介挿入体は、前記音響管との連結部付近で屈曲変形可能に形成されていることを特徴とする。
【図面の簡単な説明】
【０００９】
【図１】本発明の第１実施形態に係るイヤホン１の斜視図である。
【図２】本発明の第１実施形態に係るイヤホン１の正面図（同図（Ａ））と背面図（同図（Ｂ））である。
【図３】図１に示されたイヤホン１の断面図である。
【図４】図３に示されたイヤホン１の分解図である。
【図５】図３に示されたイヤホン１に内蔵されるスピーカ本体部３の断面図である。
【図６】図３に示されたイヤホン１の耳介挿入体６を説明するための断面斜視図である。
【図７】図３に示されたイヤホン１の耳介挿入体６を説明するための斜視図（同図（Ａ））及び断面図（同図（Ｂ））である。
【図８】本発明の第１実施形態に係るイヤホン１の耳介挿入体６と音響管４の斜視図である。
【図９】耳介挿入体と音響管との連結時のイヤホン１の斜視図である。
【図１０】図３に示されるイヤホン１の動作を説明するための図である。
【図１１】図３に示されるイヤホン１の動作を説明するための図である。
【図１２】（Ａ）はイヤホン１の装着状態を説明するための図であり、（Ｂ）はイヤホンの他の装着状態を説明するための図である。
【図１３】（Ａ）はイヤホン１の装着状態を説明するための図であり、（Ｂ）は耳介の各部呼称を示す説明図である。
【図１４】本発明の第２実施形態に係るイヤホン１Ｂの側面図である。
【図１５】図１４に示されるイヤホン１Ｂの断面図である。
【図１６】図１のイヤホンを搭載した電子機器１００の正面図である。
【発明を実施するための最良の形態】
【００１０】
本発明の一実施形態に係るイヤホンは、スピーカ本体部を内蔵するとともに、スピーカ本体部からの音波を放射する開口部が形成されたスピーカ筐体部と、筒形状の音響管と、音響管およびスピーカ筐体部の一部又は全部を取り囲む弾性体の耳介挿入体を有し、耳介挿入体は、音響管との連結部付近で屈曲変形可能に形成されていることを特徴とする。【００１１】
例えばイヤホンは、耳介挿入体と音響管に導音路が形成されており、スピーカ本体部から出力された音波が、耳介挿入体および音響管の導音路を通り外部に放射される。上記イヤホンは、耳介挿入体が弾性体、柔軟性材料などで形成されており、耳介挿入体が音響管およびスピーカ筐体部の一部又は全部を取り囲む形状に形成されている。イヤホンがユーザの耳に装着された場合、耳介挿入体は、その先端部に形成された連結部付近で、例えばユーザの耳の形状に応じて屈曲変形する。詳細には、音響管とスピーカ本体部とが、ユーザの耳の形状に応じた最適な角度の位置関係となるように、弾性体の耳介挿入体が屈曲変形した状態で、イヤホンがユーザの耳に装着される。このため、ユーザそれぞれに良好な装着感を有するイヤホンを提供することができる。【００１２】
また、本発明に係るイヤホンは、弾性体の耳介挿入体が屈曲変形することにより、スピーカ本体部の軸に対する音響管の軸の角度が各ユーザそれぞれに最適な角度となった状態で、ユーザの耳に装着されるので、イヤホンと耳との間で比較的大きな密着性を有する。このため一般的なイヤホンと比べて、音漏れを抑止することができる。【００１３】
また、上記イヤホンは、弾性体の耳介挿入体が屈曲変形することにより、スピーカ本体部と音響管それぞれの軸の角度が比較的大きい場合であっても、良好な音響特性を有する。
また、上記イヤホンは、耳介挿入体を、例えば樹脂などの弾性体（柔軟な材料）により、音響管およびスピーカ筐体部の一部又は全部を取り囲む形状に形成することで、簡単に作製することができる。この耳介挿入体、音響管、スピーカ筐体部を組み立てることにより、簡単な構造で屈曲変形可能なイヤホンを提供することができる。
以下、図面を参照しながら、本発明の一実施形態に係るイヤホンを説明する。【００１４】
［第１実施形態］
図１は、本発明の第１実施形態に係るイヤホン１の斜視図である。図２は、本発明の第１実施形態に係るイヤホン１の正面図（同図（Ａ））と背面図（同図（Ｂ））である。図３は、図１に示されたイヤホン１の断面図である。図４は図３に示されたイヤホン１の分解図である。図５は、図３に示されたイヤホン１に内蔵されるスピーカ本体部３の断面図である。図６は、図３に示されたイヤホンの耳介挿入体６を説明するための断面斜視図である。図７は、図３に示されたイヤホン１の耳介挿入体６を説明するための斜視図（同図（Ａ））及び断面図（同図（Ｂ））である。【００１５】
本発明の一実施形態に係るイヤホン１は、ユーザの耳に装着され、例えば、携帯型音楽再生装置などから入力された電流信号に応じてスピーカ振動板が振動して、音波を放射する。イヤホン１はスピーカ装置とも称呼される。【００１６】
詳細には、図１〜５に示されるように、イヤホン１（スピーカ装置）は、スピーカ筐体部２、スピーカ本体部３、音響管４、フィルタ（吸音部材）５、耳介挿入体６、および耳栓（イヤーピース）７を有する。
スピーカ筐体部２は、本発明に係るスピーカ筐体部の一実施形態に相当し、スピーカ本体部３は、本発明に係るスピーカ本体部の一実施形態に相当する。音響管４は、本発明に係る音響管の一実施形態に相当し、耳介挿入体６は、本発明に係る耳介挿入体の一実施形態に相当する。耳栓７は、本発明に係る耳栓の一実施形態に相当する。
以下、各構成要素について図面を参照しながら説明する。【００１７】
［スピーカ筐体部（筐体部）２］
筐体部２は、スピーカ本体部３を内蔵するとともに、そのスピーカ本体部３からの音波を放射する開口部２１が形成されている。筐体部２は、例えば、ＡＢＳ樹脂（Acrylonitrile Butadiene Styrene：共重合合成樹脂）、樹脂などの材料により形成されている。なお、筐体部２は、熱可塑性樹脂、熱硬化樹脂などの公知の材料で形成されても構わない。
筐体部２は、内部にスピーカ本体部３が収容される収容部２１０が形成されており、この収容部２１０にスピーカ本体部３が収容されている。筐体部２は、例えば第１のハウジング（ハウジング前部）２０１、および第２のハウジング（ハウジング後部）２０２を有する。第１のハウジング２０１と第２のハウジング２０２とが分解状態で、スピーカ本体部３が収容部２１０に収容される。スピーカ本体部３が収容部２１０に収容後、第１のハウジング２０１と第２のハウジング２０２は、接着剤による接合や、超音波溶着接合などの接合法により接合される。
また、収容部２１０はスピーカ本体部３全体を収容していても、スピーカ本体部３の一部を収容していても構わなく、筐体部２に取り付けられることが可能な形状を備えていれば構わない。具体的には、筐体部２の前面（音響管４側の側面）を覆うとともに、当該筐体部２の前面に形成された係合部と嵌合して取り付けられていても構わない。係合部は、例えば後述する筐体部２の外周側面に形成される係合部が挙げられる。
図３に示されるように、筐体部２は、その側面または下部に、スピーカ本体部３から引き出されたスピーカコード３０１が通る引出孔が形成されている。また、図１及び図２に示されるように、スピーカ筐体部２の下方には、筒形状のコード保持部３１０が備えられている。スピーカコード３０１が、このコード保持部３１０内を通って、例えば、携帯型音響プレーヤなどの外部の再生装置に電気的に接続される。【００１８】
図３，４に示されるように、スピーカ筐体部２は、底面部２０２１が、スピーカ本体部３の中心軸Ｐ３に対して音響管４側に向くように傾斜した形状に形成されている。
上記スピーカ筐体部２の底面部２０２１が、スピーカ本体部３の中心軸Ｐ３に対して傾斜した形状に形成されているので、ユーザは、例えば指で底面部２０２１をその面に直交する方向に押圧することにより、簡単にイヤホン１を外耳道に装着することができる。【００１９】
また、図３に示されるように、スピーカ筐体部２には、スピーカ筐体部２とスピーカ本体部３との間に形成される空間と外部とを連通させる貫通孔２０１７が第１のハウジング２０１に形成されており、貫通孔２０１７は、スピーカ筐体部２の中心位置に対して、開口部２１が形成される側とは反対側に形成されている。【００２０】
［スピーカ本体部３］
スピーカ本体部３は、スピーカコード３０１から入力された電流信号に応じた音波を放射する。スピーカ本体部３としては、電磁型スピーカ、ダイナミック型スピーカ、静電型スピーカ、圧電型スピーカ、などの公知のスピーカ装置を採用することができる。本実施形態に係るスピーカ本体部３は、ダイナミック型スピーカを採用する。【００２１】
スピーカ本体部３は、例えば図５に示されるように、磁気回路３１、および振動体３２を有する。
磁気回路３１は、内磁型磁気回路、外磁型磁気回路などを採用することができる。本実施形態に係る磁気回路としては、内磁型磁気回路を採用する。【００２２】
磁気回路３１は、ヨーク３１１、磁石３１２、およびプレート３１３を有する。
ヨーク３１１は、例えば、鉄、磁性材料（強磁性体を含む）、金属材料、などで形成されている。また、ヨーク３１１は、径方向断面形状が略Ｕ形状に形成されている。
磁石３１２は、平板形状に形成され、ヨーク３１１上に配置されている。また、磁石３１２は、例えば、ネオジウム系、サマリウム・コバルト系、アルニコ系、希土類系、フェライト系磁石、などの永久磁石を採用することができる。また、磁石３１２は、軸（Ｐ３）方向（音響放射方向ＳＤ）に沿って着磁されている。
プレート３１３は、平板形状に形成され、磁石３１２上に配置されている。プレート３１３は、例えば、鉄、磁性材料（強磁性体を含む）、金属材料、などで形成されている。
上記磁気回路３１２は、プレート３１３と、ヨーク３１１との間に磁気ギャップＭＧが形成されている。【００２３】
振動体３２は、ボイスコイル３２１、ボイスコイル支持部３２２、振動板３２３、およびエッジ３２４を有する。
ボイスコイル３２１は、振動板３２３に直接、またはボイスコイル支持部３２２を介して接合されており、磁気ギャップＭＧ間に、軸方向に振動自在に配置されている。振動板３２３は、ドーム形状、平板状、コーン形状、などの形状に形成されており、ボイスコイル３２１が接合されている。本実施形態に係る振動板３２３は、ドーム形状に形成されている。エッジ３２４は、環状に形成され、内周部が振動板３２３に接合され、外周部がスピーカ筐体部２（第２のハウジング２０２）に接合されている。【００２４】
上記スピーカ本体部３は、ボイスコイル３２１に電流信号が入力されると、その電流信号に応じてボイスコイル３２１に電磁気力が生じて、軸方向に沿って振動し、それに伴い振動板３２３が振動し、音響放射方向ＳＤに音波を出力する。【００２５】
［音響管４］
図３，４に示されるように、音響管４は、筒形状に形成されており、例えばＡＢＳ樹脂などの比較的大きい剛性の材料により形成されている。
詳細には、音響管４は、剛性がケース筐体部２と略同じ剛性を有し、耳介挿入体６と比べて比較的大きい剛性を有する。即ち、音響管４は、後述する耳介挿入体６における第１の弾性部６０１及び第２の弾性部６０２に対して剛性を備えている。
音響管４は、略筒状に形成されており、一方の端部が耳介挿入体６に連結するとともに、他方の端部が耳栓７に接合されている。本実施形態に係る音響管４は、例えば、耳介挿入体６に着脱可能に連結されている。【００２６】
詳細には、図３，４に示されるように、音響管４は、筒形状部４１、第１の連結部４２、および第２の連結部４３を有する。
筒形状部４１は、一方の端部（耳介挿入体側）に、フランジ状の第１の連結部４２が形成され、他方の端部（耳栓側）にフランジ状の第２の連結部４３が形成されている。【００２７】
音響管４は、その音響放射側とは逆側の端部（第１の連結部４２）と耳介挿入体６の連結部６１が嵌合して連結している。この際、連結部６１は内面側に環状の凹部が形成されており、音響管４の音響放射方向とは逆側の端部（第１の連結部４２）が前述した凹部に挿入されている。また、音響管４は、その両端部が外部に向かって突出することで、凹状の断面形状を備え、耳栓７の音響管４と当接する端部が、音響管４の両端部の間に挿入されている。
また、音響管４は、図３に示されるように、スピーカ本体部３の中心軸Ｐ３から反れるように延在している。【００２８】
［フィルタ（吸音部材）５］
フィルタ（吸音部材）５は、例えば、音響管４の一方の端部の開口部に設けられている。図３に示されるように、フィルタ５は音響管４の前面に配置されている。例えば、スピーカ本体部３から、高域で比較的大きな音圧の音響特性の音波が出力された場合であっても、音響管４にフィルタ５が設けられているので、イヤホン１は、高域での音圧を低減することができ、低域から中域、中域から高域にかけて、略フラットな周波数特性を有する。フィルタ５としては、例えば、不織布、織物、繊維から構成されるシート状物などを採用することができる。フィルタ５は、上記形態に限られるものではない。例えば、音響管４の両端部に配置されていてもよいし、一方の端部に配置されていてもよい。【００２９】
［耳介挿入体６］
耳介挿入体６は、弾性体により形成されており、図３に示されるように、音響管４および筐体部２の一部又は全部を取り囲む形状に形成されている。弾性体としては、柔軟な材料、例えばシリコーンゴムなどの樹脂を採用してもよい。本実施形態に係る耳介挿入体６は、例えば図３に示されるように、スピーカ筐体部２を覆うように形成されている。また、耳介挿入体６は、音響管４との連結部６１付近で屈曲可能に形成されている。【００３０】
耳介挿入体６は、第１の弾性部６０１、および第２の弾性部６０２を有する。本実施形態に係る耳介挿入体６は、第１の弾性部６０１、および第２の弾性部６０２が一体成形されている。耳介挿入体は６、音響管４が連結される連結部６１が、第１の弾性部６０１で形成されている。【００３１】
第１の弾性部６０１は、比較的大きい剛性の材料により形成されている。第２の弾性部６０２は、第１の弾性部６０１より剛性が小さい材料により形成されている。この第２の弾性部６０２は、耳介挿入体６のうち、連結部６１を境界として、スピーカ筐体部２側であると共に、連結部６１の近傍における耳介挿入体６の一部に形成される。この部分の剛性を小さくすることで、音響管４との連結部６１近傍を効果的に屈曲可能にすることができる。【００３２】
詳細には、第１の弾性部６０１は、音響管４のはずれを抑止する点で例えば硬度の値が約６０°〜８０°であることが好ましく、最適には硬度の値が７０°である。第２の弾性部６０２は、音響管とスピーカ本体部とが、ユーザの耳の形状に応じた最適な角度の位置関係となるよう、連結部６１が屈曲変形可能になる点で、硬度の値が約２０°〜４０°であることが好ましく、最適には硬度の値が３０°である。上記硬度は、例えばＪＩＳ  Ｋ  ６２５３  タイプＡに規定の硬度計により計測される。例えば、第１の弾性部６０１は硬度７０°のシリコンラバーで形成され、第２の弾性部６０２は硬度３０°のシリコンラバーで形成されている。【００３３】
第１の弾性部６０１および第２の弾性部６０２は、例えば、ダブルモールド製法（二色成形製法）により形成される。ダブルモールド製法とは、金型内で、異質な材料を組み合わせて、一体成形する製造方法である。
耳介挿入体６の製造方法は、上記形態に限られるものではない。例えば、耳介挿入体６は、第１の弾性部６０１と第２の弾性部６０２とが接着剤などで接合されることにより形成されてもよいし、インナー成形製法などの一体成形製法により形成されてもよい。【００３４】
また、耳介挿入体６は、図３，４．６，７に示されるように、連結部６１、収容部６２、導音孔部６５、耳介接触部６６、および通気孔６７を有する。
連結部６１は、一方の端部（音響管４側）に形成され、音響管４が着脱可能に連結される。連結部６１は、例えば、筒状部４１と第１の連結部４２の形状に対応した形状に形成されており、詳細には、断面形状が略Ｃ字形状に形成されており、音響管４のフランジ状の第１の連結部４２に係合することにより、音響管４と連結する。また、連結部６１は、比較的高い剛性の弾性体（第１の弾性部６０１）で形成されているので、音響管４と確実に連結することができ、音響管４のはずれを抑止することができる。また、連結部６１は、軸方向に沿って導音孔部が形成されている。【００３５】
また、耳介挿入体６は、連結部６１とスピーカ筐体部２とが規定距離Ｌ６００以上離れて形成されており、連結部６１付近の屈曲部６００が屈曲変形可能である。【００３６】
収容部６２は、スピーカ筐体部２を収容する。また、収容部６２は、第２の弾性部６０２で形成され、スピーカ筐体部２の形状に対応した形状に形成されており、詳細には断面形状が略Ｃ字形状に形成されている。また、収容部６２は、端部に内側に突出した係合部６２１が形成されており、この係合部６２１が、スピーカ筐体部２の被係合部としての被係合段部２０２５に係合することにより、確実にスピーカ筐体部２を収容することができる。【００３７】
また、スピーカ筐体部２の被係合部が形成される外周側面には、コード保持部３１０が設けられている。特に、スピーカ筐体部２の外周側面にコード保持部３１０を設けることで、イヤホン１の奥行き方向における幅（大きさ）を比較的小さくでき、ユーザが持ち運ぶカバン等にイヤホン１を収納する際、必要なスペースを比較的小さくできる（省スペース化）。【００３８】
また、スピーカ筐体部２の被係合部にコード保持部３１０が設けられているので、収容部６２の係合部６２１に、コード保持部３１０の形状に合わせて、切欠部６２Ａを形成している。この切欠部６２Ａの内側にコード保持部を配置することで、スピーカ筐体部２に収納部６２、言い換えれば耳介挿入体６を係合させることができる。【００３９】
ところで、また、イヤホン１が有するスピーカ本体部３を、イヤホン１の音圧を比較的大きくする目的のために、耳栓７に対して比較的大きくする場合がある。この場合には、スピーカ本体部３を収容するスピーカ筐体部２は外耳道（Ｈ７１；図１３（Ｂ））から耳介へと突出した状態で、耳介内に装着される。具体的には、スピーカ筐体部２は、耳珠（Ｈ７２；図１３（Ｂ））と対珠（Ｈ７４；図１３（Ｂ））及び対輪（Ｈ７５；図１３（Ｂ））との間の間隙に挿入されると共に、対珠及び対輪に当接した状態で耳に固定される。このようなイヤホンの装着状態において、スピーカ筐体部２が外耳道から比較的大きく突出しているので、外部とスピーカ筐体部２とが接触しやすくなり、ユーザの耳からイヤホン１が脱落する場合がある。特に、スピーカ筐体部２に設けられるコード引出線３０１を介し、スピーカ筐体部２に対し外力が作用することで、イヤホン１がユーザの耳から脱落する場合がある。【００４０】
イヤホン１の脱落を抑止すべく、中心軸方向におけるスピーカ筐体部２の長さを比較的小さくし、スピーカ筐体部２を外耳道側により接近させることで、外部との接触等を抑止し、イヤホン１がユーザの耳から脱落するのを抑止することができる。また、スピーカ本体部３の長さを比較的小さくするために、スピーカ筐体部２の側面からコード引出線３０１を設けても構わない。スピーカ筐体部２の側面にコード引出線３０１を設けても、スピーカ筐体部２が外耳道により接近した状態でユーザの耳に固定されているので、コード引出線３０１を介して外力がスピーカ筐体部２に作用しても、ユーザの耳からイヤホン１が脱落しにくくなる。【００４１】
また、耳介挿入体６がスピーカ筐体部２と係合している場合には、例えばイヤホン１がユーザのバック等の収納ケースに収納されている際に、耳介挿入体６とスピーカ筐体部２に外力が作用して、耳介挿入体６とスピーカ筐体部２とが外れる場合がある。【００４２】
また、イヤホン１がユーザの耳に装着されている際に、コード引出線３０１が引っ張られるなどして、耳介挿入体６とスピーカ筐体部２に外力が作用して、耳介挿入体６がユーザの耳に装着された状態でスピーカ筐体部２がユーザの耳から脱落する場合がある。【００４３】
また、スピーカ筐体部２の外形が大きくなることに伴い、スピーカ筐体部２を覆う耳介挿入体６が、ユーザの耳に接触する領域が大きくなる。耳介挿入体６がユーザの耳との接触面積が大きくなると、ユーザがイヤホン１を取り付けたり、又は取り外したりした際に、ユーザの耳と耳介挿入体６との間に生じる摩擦力が大きくなり、耳介挿入体６がスピーカ筐体部２から脱落しやすくなる場合がある。【００４４】
そこで、耳介挿入体６がスピーカ筐体部２に対し良好な係合状態を維持させるべく、耳介挿入体６がスピーカ筐体部２に係合する係合部６２１を、図６及び図７に示すように、第２の弾性部６０２より大きい剛性を有する第３の弾性部６０３で形成する。係合部６２１を第３の弾性部６０３で形成することで、耳介挿入体６がスピーカ筐体部２から脱落することを抑止することができる。【００４５】
なお、第３の弾性部６０３は、第１の弾性部と同じ材料であっても構わなく、第２の弾性部に対し剛性を備える材料で形成されていれば、特に限定はしない。【００４６】
第３の弾性部６０３は、スピーカ筐体部２と耳介挿入体６との係合状態が良好になるよう、硬度の値が約１０°〜４０°であることが好ましく、最適には硬度の値が２０°である。上記硬度は、例えばＪＩＳ  Ｋ  ６２５３  タイプＡに規定の硬度計により計測される。よって、例えば、第１の弾性部６０１は硬度７０°のシリコンラバーで形成され、第２の弾性部６０２は硬度３０°のシリコンラバーで形成され、第３の弾性部は硬度２０°に形成されている。【００４７】
第３の弾性部６０３は、第１の弾性部６０１及び第２の弾性部６０２を成形する場合と同様にして構わなく、例えば、ダブルモールド製法（二色成形製法）により形成される。ダブルモールド製法とは、金型内で、異質な材料を組み合わせて、一体成形する製造方法である。【００４８】
耳介挿入体６の製造方法は、上記形態に限られるものではない。例えば、耳介挿入体６は、第２の弾性部６０２と第３の弾性部６０３とが接着剤などで接合されることにより形成されてもよいし、インナー成形製法などの一体成形製法により形成されてもよい。【００４９】
導音孔部６５は、耳介挿入体６内部に形成され、詳細には、連結部６１と収容部６２との間に形成されており、音響管４及びスピーカ筐体部４の開口部と連通している。また、導音孔部６５は、音響管４の中心軸に沿う方向に形成されると共に、スピーカ本体部３の中心軸から反れる方向に沿って形成されている。
耳介接触部６６は、導音孔部６５の周囲を取り囲む平面形状を備え、音響管４とスピーカ筐体部２との間に、音響管４の中心軸Ｐ４から反れる方向に延びる形状に形成されている。また、耳介接触部６６は、スピーカ筐体部側に傾斜した形状に形成されている。詳細には、耳介接触部６６は、スピーカ筐体部２の底面部の２０２１の面に対して略平行な軸Ｐ６６に沿って、突出した形状の突出部６６１が形成されている。この突出部６６１は、スピーカ筐体部２側に傾いた方向に向かって突出している。
つまり、スピーカ筐体部２、その底面部２０２１が耳介接触部６６に対し略平行となるように形成されている。【００５０】
この耳介接触部６６は、イヤホン１がユーザの耳に装着される時、ユーザの耳介の形状に応じて変形して耳介に密着する。このため音漏などが生じることを抑止することができる。
また、耳介接触部６６は、音響管４の中心軸Ｐ４から反れる方向に延びる形状に突起部６６１が形成されているので、イヤホン１がユーザの耳から脱離することを抑止することができる。【００５１】
イヤホン１は、耳介接触部６６の形状や大きさが異なる複数の耳介挿入体６を予め用意しておき、ユーザの耳の形状にフィットするように所望の耳介挿入体６に自由に交換することができる。【００５２】
通気孔６７は、スピーカ筐体部２に形成された貫通孔２０１７と連通するように形成されている。イヤホン１は、通気孔６７と連通する貫通孔２０１７を有するので、スピーカ駆動時、スピーカ振動板とスピーカ筐体部２との間で、複数の音波が干渉すること（共振すること）を抑止することができる。また、周波数約２０Ｈｚ〜約５００Ｈｚ間の音圧レベルの上昇を抑制することができる。そのため、いわゆる音のこもり感を低減することができる。【００５３】
また、貫通孔２０１７と連通する通気孔６７が耳介挿入体６に形成されていても、ユーザの外耳道が耳介挿入体２、特に耳介接触部６６にて外部の音波を遮断しているので、通気孔６７を介して貫通孔２０１７から放射される音波によって、ユーザが聞きたい音を聞きにくくなることが抑止されている。【００５４】
上記耳介挿入体６は、連結部６１が比較的高い剛性の第１の弾性部６０１で形成されているので、耳介挿入体６の屈曲部６００（第２の弾性部６０２）が屈曲した場合であっても、音響管４がつぶれることを抑止することができ、イヤホン１は、良好な音響特性で音波を放射することができる。
また、耳介挿入体６は、連結部６１が比較的高い剛性の第１の弾性部６０１で形成されているので、音響管４を確実に耳介挿入体６に固定することができ、その他の部分（屈曲部６００など）が比較的小さい剛性の第２の弾性部６０２で形成されているので、音響管４の向きを比較的自在に変更することができる。【００５５】
［耳栓７］
耳栓（イヤーピース）７は、ユーザの外耳の外耳道に挿入される。耳栓７は、図１に示されるように、音響管４の音響放射側の端部に取り付けられるとともに音響管４と連通する筒形状部７１を備え、外周部７２が弾性変形可能に形成さている。耳栓７及び音響管４は、互いに分離可能な部材として形成されている。耳栓７は、例えばシリコーンゴムなどの軟質材料で成形されている。
詳細には、筒形状部７１は、外周端部（音響放射側端部）の内径が、音響管４の内径より大きい形状に形成されている。この音響管４に連通された耳栓７の構造では、内部構造がホーン形状となり、音響特性が向上する。【００５６】
上記イヤホン１は、図３に示されるように、スピーカ本体部２から出力された音波が、スピーカ筐体部２の開口部２１から放射され、その音波が耳介挿入体６および音響管４の導音路を通り、フィルタ５を介して、耳栓７の開口部から外部に放射される。【００５７】
図８は、本発明の第１実施形態に係るイヤホン１の耳介挿入体６と音響管４の斜視図である。図９は、耳介挿入体と音響管との連結時のイヤホン１の斜視図である。
図８，９を参照しながら、イヤホン１の音響管４との耳介挿入体６とを装着する動作を説明する。【００５８】
図８，９に示されるように、音響管４を軸方向（音響管４の中心軸Ｐ４の方向）に沿って耳介挿入体６に向かって押圧し、音響管４と弾性体の耳介挿入体６の連結部６１とが嵌合することで、音響管４が耳介挿入体６に装着される。
耳介挿入体６から音響管４を取り外す場合には、音響管４を軸方向に沿って耳介挿入体６に対して逆側に向かって押圧することで、それを取り外すことができる。【００５９】
図１０及び図１１は、図３に示されるイヤホン１の動作を説明するための図である。
図１０，図３に示されるように、初期時、音響管４は、その軸Ｐ４が、スピーカ筐体部２（スピーカ本体部３）の中心軸Ｐ３に対して、規定角度θ１となるように形成されている。イヤホン１がユーザの耳に装着された場合、図１０に示されるように、耳介挿入体６の連結部６１付近の屈曲部６００が屈曲することにより、音響管４の中心軸Ｐ４’が初期の位置から角度θ２までの範囲でずれることができる。この角度θ２は、例えば中心軸Ｐ３に向かって約８０度程度、それと反対側に向かって３０度程度である。また、本実施形態では、この角度θ２は、例えば初期の中心軸P４に対し１０度程度である。また、音響管４は、その中心軸Ｐ４’が、初期の中心軸Ｐ４と中心軸Ｐ３とが含まれる平面に対して直交する方向に約１０度程度だけずれることができる。【００６０】
図１１に示すように、耳介接触部６６は音導管４の周囲に形成されているので、耳栓７の動きに対し、音導管４と共に耳介接触部６６も追従して動く。したがって、耳栓７がスピーカ筐体部２の中心軸Ｐ３に対して交差する方向に倒れた場合には、耳介接触部６６の突起部６６１は中心軸Ｐ３に沿うように立ち上がることになり、その逆に、耳栓７が中心軸Ｐ３に沿うように立ち上がる場合は、突起部６６１は中心軸Ｐ３に対して交差する方向に倒れることになる。【００６１】
図１２及び図１３は、イヤホン１の各種装着状態を説明するための図である。
図１２（Ａ），図１２（Ｂ）に示されるように、イヤホン１がユーザＨの外耳道Ｈ７１に装着された時、外耳道Ｈ７１の形状に応じて、耳介挿入体６が屈曲変形することにより、イヤホン１と外耳道Ｈ７１が密着する。さらに、イヤホン１は、装着時、耳介挿入体６の耳介接触部６６が耳介H７０に接触して変形することにより、高い密着性を有する。このように、イヤホン１が、ユーザの耳に比較的高い密着性で装着されるので、音漏れ抑止することができる。【００６２】
また、上記耳介挿入体６を備えるイヤホン１は、音響管が着脱可能に連結される連結部６１が、比較的大きい剛性の第１の弾性部６０１で形成されているので、スピーカ本体部と音響管との相対角度が角度変化した場合でも、耳介挿入体６の導音路がつぶれることがなく、導音路が確保されており良好な音響特性を有する。【００６３】
また、図１３（Ａ）に示すように、スピーカ筐体部２が、外耳道Ｈ７１の外側であって耳甲介Ｈ７３側に配置されており、音響管４の一部がスピーカ筐体部２に対し屈曲変形して、耳栓７が外耳道Ｈ７１に挿入され、耳介接触部６６の一部は耳甲介Ｈ７３に当接すると共に、収容部６２の一部が耳珠Ｈ７２に当接することで、外耳道Ｈ７１が外部に対して密閉される（耳介Ｈ７０の各部呼称については図１３（Ｂ）を参照）。【００６４】
前述したように、耳介接触部６６は音導管４の周囲に形成されているので、耳栓７の動きに対し、音導管４と共に耳介接触部６６も追従して動く（図１１参照）。そのため、耳栓７が外耳道Ｈ７１に挿入された時、耳栓７はユーザの耳の外耳道Ｈ７１に沿うように、スピーカ筐体部２に対し屈曲する。この時、耳栓７の屈曲する向きと同じ向きへ耳介接触部６６も動くために、外耳道Ｈ７１内を良好に密閉することが可能になる。
具体的には、耳栓７が外耳道Ｈ７１へ挿入された際、耳介接触部６６は耳栓７の屈曲する向きに移動し、耳甲介Ｈ７３の一部と耳介接触部６６の突起部６６１とが当接する。また、耳介挿入体６の収容部６２が耳珠Ｈ７２の一部と当接するので、外耳道Ｈ７１は耳介接触部６６の突起部６６１及び収容部６２によって良好に密閉される。
また、スピーカ筐体部２の底面部２０２１が、耳介接触部６６の突起部６６１と略平行に形成されているので、ユーザが底面部２０２１を押すことで、耳甲介Ｈ７３に対し耳介接触部６６の突起部６６１を当接させることができ、外耳道Ｈ７１を外部に対して良好に密閉することができる。【００６５】
［第２実施形態］
図１４は、本発明の第２実施形態に係るイヤホン１Ｂの側面図である。図１５は、図１４に示されるイヤホン１Ｂの断面図である。第１実施形態と同様な構成については、説明を省略する。【００６６】
本発明の第２実施形態に係るイヤホン１Ｂは、図１４，図１５に示されるように、スピーカ筐体部２Ｂ、スピーカ本体部３、音響管４、耳介挿入体６Ｂ、および耳栓７を有する。
本実施形態に係るイヤホン１Ｂは、第１実施形態と比べて、スピーカ筐体部２Ｂ（スピーカ本体部３）の中心軸Ｐ３と、音響管４の中心軸Ｐ４との角度θ１が小さく形成されている。
また、本実施形態に係るイヤホン１Ｂは、音響管４と耳介挿入体６Ｂとが、モールド成形の製造方法により形成されており、耳介挿入体６Ｂから音響管４を取り外すことができない。詳細には、耳介挿入体６Ｂは、音響管４と嵌合した状態でモールド成形されている。
また、耳介挿入体６Ｂは、音響管４の連結部に対して反対側の端部に形成された係合部６８が、スピーカ筐体部２Ｂの被係合部２０１５に係合することで、スピーカ筐体部２Ｂに接合されている。【００６７】
上記イヤホン１Ｂは、弾性体の耳介挿入体６Ｂが音響管４との連結部付近で屈曲変形可能に形成されているので、音響管４がスピーカ本体部３に対して屈曲自在に変形することができ、比較的高い密着性を有し、音漏れを抑止することができる。【００６８】
以上、説明したように、本発明に係るイヤホンは、スピーカ本体部３を内蔵するとともに、スピーカ本体部３からの音波を放射する開口部２１が形成されたスピーカ筐体部２Ｂと、筒形状の音響管４と、音響管４およびスピーカ筐体部２の一部又は全部を取り囲む弾性体の耳介挿入体６を有し、耳介挿入体６は、音響管４との連結部６１付近で屈曲変形可能に形成されているので、ユーザの耳に装着されたとき、良好な装着感を有する。【００６９】
詳細には、イヤホン１Ｂがユーザの耳に装着された場合、耳介挿入体６は、耳介挿入体６の先端部に形成された連結部付近で、例えばユーザの耳の形状に応じて屈曲変形し、音響管４とスピーカ本体部３とが、ユーザの耳の形状に応じた最適な角度の位置関係で、イヤホン１がユーザの耳に装着される。このため、ユーザそれぞれに良好な装着感を有するイヤホンを提供することができる。【００７０】
また、イヤホン１は、弾性体の耳介挿入体６が屈曲変形することにより、スピーカ本体部の軸に対する音響管の軸の角度が各ユーザそれぞれに最適な角度となった状態で、ユーザの耳に装着されるので、イヤホンと耳との間で比較的大きな密着性を有し、一般的なイヤホンと比べて、音漏れを抑止することができる。また、イヤホン１は、耳介挿入体６が屈曲した状態でも良好な音響特性を有する。【００７１】
また、イヤホン１の耳介挿入体６は、連結部６１が第１の弾性部６０１で形成され、この連結部６１を境界としてスピーカ筐体部２側の部分が第２の弾性部６０２で形成され、収容部６２に形成される係合部６２１が第３の弾性部６０３で形成されており、第１及び第２の弾性部６０１，６０３を比較的大きい剛性にし、第２の弾性部６０２を比較的小さい剛性にしているので、連結部６１に連結される音響管４及びそれに装着される耳栓７の方向を、収容部６２に収容されるスピーカ筐体部２に対して自在に変更することができると共に、収容部６２内に強固にスピーカ筐体部２を係合することが可能になる。【００７２】
また、イヤホン１をユーザの耳に装着する場合には、外耳道Ｈ７１への耳栓７の挿入で耳栓７の角度が変わることに伴って、耳介挿入体６における耳介接触部６６の突起部６６１が耳甲介Ｈ７３に当接されるようになるので、耳介挿入体６で外耳道Ｈ７１を外部に対して良好に密閉することができる。これによって、音漏れを抑止することができると共に周囲雑音の外耳道Ｈ７１への侵入を抑止することができる。【００７３】
本発明は、上記実施形態に限られるものではない。例えば、各実施形態を組み合わせてもよい。例えば、スピーカ筐体部２Ｂの平面部を、耳介挿入体６Ｂの耳介接触部に対し略平行となるように形成しても構わない。
スピーカ筐体部２や、スピーカ本体部３は、上記形態に限られるものではない。また、耳介挿入体６の形状は、上記形態に限られるものではない。【００７４】
また、イヤホン１を、例えばポータブルオーディオプレーヤ、ポータブルビデオプレーヤ等の電子機器に用いても構わない。図１６には、電子機器としてのポータブルオーディオプレーヤ１００及びイヤホン１が示されている。ポータブルオーディオプレーヤ１００は、樹脂部材や金属部材で形成された携帯型ケース１０１、携帯型ケース１０１の正面１０２上に設けられた各種操作スイッチ１０３及びディスプレイ１０４を備える。また、電子機器１００は、底面１０７にコネクタ１１５を備え、電子機器１００内の信号生成装置と、他の電子機器内の信号処理装置とを、相互に電気的に接続するものである。
イヤホン１は、電子機器１００に外付品として取り付けられる。イヤホン１は、リモートコントローラ部１５１、イヤホン部１５２、プラグ部１５３及びコード部１５４を備える。リモートコントローラ部１５１は、その小型スイッチ、小型モニタ等により、電子機器１００を、コード１５４を介して、リモートコントロール可能に構成されている。リモートコントローラ部１５１は、例えば、音量調整、左右のイヤホン部１５２のバランス制御、画面表示内容や番組或いはゲーム内容の選択、変更等を外部操作により実行可能に構成されている。また、このような制御は、正面１０２上に設けられた操作スイッチ１０３で行うことも可能である。また、イヤホン部１５２は、コード１５４を介して受信した音声信号を音波に変換して音声出力するように構成されている。
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用することができる。なお、本出願には、200７年９月７日に国際出願したPCT／JP2007／067517に記載される全ての内容は、本出願に組み込まれる。
【図１】
2010005039.tif 000003
【図２】
2010005039.tif 000004
【図３】
2010005039.tif 000005
【図４】
2010005039.tif 000006
【図５】
2010005039.tif 000007
【図６】
2010005039.tif 000008
【図７】
2010005039.tif 000009
【図８】
2010005039.tif 000010
【図９】
2010005039.tif 000011
【図１０】
2010005039.tif 000012
【図１１】
2010005039.tif 000013
【図１２】
2010005039.tif 000014
【図１３】
2010005039.tif 000015
【図１４】
2010005039.tif 000016
【図１５】
2010005039.tif 000017
【図１６】
2010005039.tif 000018
【国際調査報告】
2010005039.tif 000019
2010005039.tif 000020
2010005039.tif 000021
2010005039.tif 000022